(57)【特許請求の範囲】
【請求項１】
ディスクが挿入される挿入口と、前記ディスクを前記挿入口から装置内に挿入し前記装置内から排出させるフィードローラおよび前記挿入口の上部に設けられたディスクガイド板と、装置内に挿入された大径ディスクの外周に基端部が押されて回動することにより先端部が横方向に移動するとともに、前記大径ディスクの最大寸法部分が通過した後に逆方向に回動するディスク検知レバーと、前記ディスク検知レバーの先端部に追随して横方向に移動するロックプレートと、装置内に挿入された小径ディスクを再生位置に位置決めするために前記ロックプレートにより突出状態にロックされるとともに、前記ロックプレートの横方向への移動によりそのロックが解除されて前記挿入される大径ディスクの外周により倒伏し、前記大径ディスクの最大寸法部分が通過したことによる前記ロックプレートの反対方向への移動によりその倒伏状態がロックされるロックピンと、前記大径ディスクを再生位置に位置決めする手段とを備え、前記ディスクガイド板は、中心部から両側に向かって低くなるテーパ面と前記テーパ面に連接して前記挿入されたディスクの面と平行に形成された平面とを有し、前記平面が前記ディスク検知レバー側の端部に設けられたことを特徴とするディスク再生装置。
【発明の詳細な説明】
【０００１】
【発明の属する技術分野】
本発明は、例えば車両に搭載されて、径の異なるディスクを再生可能なディスク再生装置に関する。
【０００２】
【従来の技術】
従来のディスク再生装置は、図５に示すように、装置のアッパシャーシ３０の前面板３０ａに形成されたディスク挿入口３１の裏側に設けられたディスクガイド板２０とその下側に配置されたフィードローラ３２とを備えており、フィードローラ３２が回転することにより、ディスクがディスクガイド板２０を摺動しながら装置内に取り込まれることになる。ディスクガイド板２０は、４弗化フルオロエチレン樹脂のような摩擦係数の小さな樹脂で形成され、中心を高くして両端部に向けて徐々に傾斜したテーパ面２０ａ、２０ｂを有している。これは、通常、車両用ディスク再生装置の場合は、車両前部座席の中央部に配置されているため、運転席または助手席に座った乗員がディスクをディスク挿入口の中央部でなく片側に寄せて挿入することがあり、このように片側に寄せて挿入されたディスクを、ディスクガイド板２０に形成したテーパ面２０ａ、２０ｂによって中央部に押し戻す働きをし、挿入されたディスクを中央部のディスククランプ４４にスムーズに引き渡す役目を有する。
【０００３】
【発明が解決しようとする課題】
しかしながら、上記したディスクガイド板のテーパ面は、図６に示すように、大径の１２ｃｍディスクＤ１の場合は極めて有効に作用するが、図７に示すように、小径の８ｃｍディスクＤ２を片側に寄せて挿入した場合には、ディスクＤ２が一方のテーパ面２０ａに沿った傾いてしまい、その反対側の周縁部が他方のテーパ面２０ｂに接触して摩擦負荷が増大し、フィードローラ３２によるディスクの搬送がスムーズに行われない場合があった。
【０００４】
本発明は、このようなディスクガイド板の改良を目的とするものであり、大径ディスクおよび小径ディスクの両方ともスムーズに搬送することのできるディスク再生装置を提供するものである。
【０００５】
【課題を解決するための手段】
上記目的を達成するために、本発明のディスク再生装置は、ディスクが挿入される挿入口と、前記ディスクを前記挿入口から装置内に挿入し前記装置内から排出させるフィードローラおよび前記挿入口の上部に設けられたディスクガイド板と、装置内に挿入された大径ディスクの外周に基端部が押されて回動することにより先端部が横方向に移動するとともに、前記大径ディスクの最大寸法部分が通過した後に逆方向に回動するディスク検知レバーと、前記ディスク検知レバーの先端部に追随して横方向に移動するロックプレートと、装置内に挿入された小径ディスクを再生位置に位置決めするために前記ロックプレートにより突出状態にロックされるとともに、前記ロックプレートの横方向への移動によりそのロックが解除されて前記挿入される大径ディスクの外周により倒伏し、前記大径ディスクの最大寸法部分が通過したことによる前記ロックプレートの反対方向への移動によりその倒伏状態がロックされるロックピンと、前記大径ディスクを再生位置に位置決めする手段とを備え、前記ディスクガイド板は、中心部から両側に向かって低くなるテーパ面と前記テーパ面に連接して前記挿入されたディスクの面と平行に形成された平面とを有し、前記平面が前記ディスク検知レバー側の端部に設けられたことを特徴とするものであり、大径ディスクでも小径ディスクでも再生できるとともに、小径ディスクをディスク検知レバー側に寄せて挿入した場合でも、ディスクがテーパ面に形成した平面に沿って水平になり、その反対側の周縁部が他方のテーパ面に接触することがないので、ディスク検知レバーを回動付勢するばね力と釣り合うことがなく、フィードローラによるディスクの搬送をスムーズに行うことができる。
【０００８】
【発明の実施の形態】
以下、本発明の実施の形態について図面を参照して説明する。なお、本発明は、大径ディスクと小径ディスクを両方とも再生できるものである。図１は本発明の実施の形態における光ディスク装置のアッパシャーシ１をディスク挿入口２（正確には挿入および排出口）側から見た正面図であり、本来はアッパシャーシ１の前面板１ａの裏側に配置されているディスクガイド板３およびフィードローラ４が前面板１ａの表側に表示されている。フィードローラ４は、中心部を小径とした鼓型のローラであり、図示されてないが、ロアシャーシに対し揺動可能に設けられたフィード板に設けられ、その軸端部のローラギヤが、ロアシャーシに設けられた駆動ギヤに噛み合ってモータにより回転駆動される。フィード板は、サスペンションシャーシがダンパにより浮遊状態に支持されると、所定方向に回動してフィードローラ４がディスクから離れ、その状態がロックされるとともに、ディスクがディスククランプによりターンテーブル上にクランプされ、記録再生が行われる。
【０００９】
大径と小径のディスクの両方を再生可能なディスク再生装置は、アッパシャーシとロアシャーシとサスペンションシャーシとからなるシャーシ機構と、ディスクを装置内の挿入／排出位置と再生位置の間で搬送するディスク搬送機構と、挿入されたディスクが大径ディスクの場合は、挿入された小径ディスクを位置決めするためのロックピンのロックを解除して大径ディスクの外周によってロックピンを倒伏させるロック手段を有するディスク検出機構と、このディスク検出機構に連動してサスペンションシャーシのロアシャーシに対するロックまたはロック解除を行うサスペンションロック機構と、上記サスペンションシャーシに設けられて、再生位置に搬送されたディスクをターンテーブル上にクランプするディスククランプ機構およびクランプされたデイスクを再生するディスク再生機構とを備えたものである。この構成により、大径ディスクでも小径ディスクでも、単に装置内にディスクを挿入するだけで再生が可能になる。
【００１０】
次に、本実施の形態におけるディスクガイド板の動作について説明する。図１に示すように、ディスクガイド板３は、中心部を高くして両端部に向けて徐々に傾斜したテーパ面３ａ、３ｂを備えており、それぞれのテーパ面３ａ、３ｂの両側端部は、斜線で示すように楔形に切除されて、ディスク挿入口２の上部と略平行な平面３ｃ、３ｄが形成されている。このようにテーパ面３ａ、３ｂの両側端部に平面３ｃ、３ｄを形成することにより、ディスク挿入口２に小径の８ｃｍディスクＤ２をテーパ面３ａ側に寄せて挿入しても、図２に示すように、ディスクＤ２がテーパ面３ａに形成した平面３ｃに沿って水平になり、その反対側の周縁部が他方のテーパ面３ｂに接触することがないので、フィードローラ４によるディスクＤ２の装置内への搬送をスムーズに行うことができる。大径の１２ｃｍディスクＤ１をディスク挿入口２にテーパ面３ａ側に寄せて挿入しても、同様にディスクＤ１がテーパ面３ａに形成した平面３ｃに沿って水平になり、フィードローラ４によるディスクＤ１の装置内への搬送をスムーズに行うことができる。また、小径ディスクＤ２または大径ディスクＤ１を反対側のテーパ面３ｂの端部側に寄せて挿入しても、同様にテーパ面３ｂに形成した平面３ｄに沿って水平になり、フィードローラ４によるディスクＤ２またはＤ１の装置内への搬送をスムーズに行うことができる。
【００１１】
このようにして装置内に搬送されたディスクが大径のディスクＤ１であるか、小径のディスクＤ２であるかは、ディスク検出機構によって判断される。図３および図４は本実施の形態におけるディスク再生装置におけるディスク検出機構２１を示している。ディスク検出機構２１は、装置内に挿入された大径ディスクＤ１の外周に基端部２２ａが押されて軸２７を中心に回動することにより先端部２２ｂが横方向に移動するとともに、大径ディスクＤ１の最大寸法部分が通過した後に逆方向に回動するディスク検知レバー２２と、ディスク検知レバー２２の先端部２２ｂに追随して横方向に移動するロックプレート２３と、装置内に挿入された小径ディスクＤ２を再生位置に位置決めするためのロックピン２４であって、ロックプレート２３により突出状態にロックされるとともに、ロックプレート２３の横方向への移動によりそのロックを解除されて、挿入されてきた大径ディスクＤ１の外周により倒伏し、大径ディスクＤ１の最大寸法部分が通過したことによるロックプレート２３の反対方向への移動によりその倒伏状態がロックされるロックピン２４と、大径ディスクＤ１を再生位置に位置決めする突起４２ｄとを備えている。この構成により、装置内に小径ディスクＤ２が挿入された場合には、ロックピン２４により小径ディスクＤ２を再生位置に位置決めし、装置内に大径ディスクＤ１が挿入された場合には、ロックピン２４が大径ディスクＤ１の外周に押されて大径ディスクＤ１の通過を許容するので、大径ディスクＤ１でも小径ディスクＤ２でも、同じ再生位置でクランプアーム４２およびクランプディスク４４によりクランプして、再生することができることとなる。
【００１２】
ディスク検出機構２１はまた、ロックプレート２４の横方向の移動に追随して横方向に移動するとともに、軸２８を中心に回動可能なアジャストプレート２５と、軸２８を中心に回動可能に設けられて、アジャストプレート２５の横方向内側への移動によりロックを解除されて、大径ディスクＤ１または小径ディスクＤ２の外周に押されて回動するシフトアーム２６とを備えている。この構成により、大径ディスクＤ１が挿入された場合でも、小径ディスクＤ２が挿入された場合でも、アジャストプレート２５の動きからディスクが再生位置に位置決めされたことを検出できることとなる。
【００１３】
このように、本実施の形態によれば、ディスクガイド板３のテーパ面３ａ、３ｂの両側端部にディスク挿入口２と略平行な平面３ｃ、３ｄを形成したので、小径または大径ディスクをどちらの側に寄せて挿入した場合でも、ディスクがテーパ面に形成した平面に沿って水平になり、その反対側の周縁部が他方のテーパ面に接触することがないので、フィードローラ４によるディスクの搬送をスムーズに行うことができる。
【００１４】
また、大径のディスクＤ１と小径のディスクＤ２のどちらが装置内に挿入されたかを判断するディスク検出機構２１を備えている場合には、小径のディスクＤ２を左側に寄せて挿入した場合に、ディスクＤ２の左側がディスク検知レバー２２の基端部２２ａに押され、ディスク検知レバー２２を回動付勢するばね力と、ディスクＤ２の右側のテーパ面から受ける力が釣り合ってしまい、従来では動きが取れなくなることがあったが、本実施の形態では、ディスクＤ２が左側がテーパ面３ａに形成した平面３ｃに沿って水平になり、右側の周縁部がテーパ面３ｂに接触することがないので、フィードローラ４によるディスクの搬送をスムーズに行うことができる。
【００１５】
なお、上記実施の形態では、ディスクガイド板３のテーパ面３ａ、３ｂの両側端部に平面３ｃ、３ｄを形成したが、図３に示すディスク検知レバー２２側のテーパ面３ａにのみ平面３ｃを形成するようにしても良い。
【００１６】
【発明の効果】
以上説明したように、本発明は、フィードローラと協働してディスクを装置内に挿入し、装置内から排出するためにディスク挿入口の上部に設けられたディスクガイド板を備え、このディスクガイド板が、両側から中心部に向かって高くなるテーパ面を有し、そのテーパ面の端部にディスク挿入口の上部と略平行な平面を形成したので、小径ディスクをディスク検知レバー側に寄せて挿入した場合でも、挿入されたディスクがテーパ面に形成した平面に沿って水平になり、その反対側の周縁部が他方のテーパ面に接触することがないので、ディスク検知レバーを回動付勢するばね力と釣り合うことがなく、フィードローラによるディスクの搬送をスムーズに行うことができる。
【図面の簡単な説明】
【図１】本発明の実施の形態における光ディスク装置のディスク挿入口側のアッパシャーシの概略正面図
【図２】本発明の実施の形態におけるディスク挿入時の動作を示す概略正面図
【図３】本発明の実施の形態における光ディスク装置の概略を説明するための概略平面図
【図４】本発明の実施の形態における光ディスク装置のディスク検出機構の構成を説明するための概略平面図
【図５】従来の光ディスク装置のディスク挿入口側のアッパシャーシの概略正面図
【図６】従来の光ディスク装置の大径ディスク挿入動作を説明するための概略正面図
【図７】従来の光ディスク装置の小径ディスク挿入動作を説明するための概略正面図
【符号の説明】
１  アッパシャーシ
２  ディスク挿入口
３  ディスクガイド板
３ａ、３ｂ  テーパ面
３ｃ、３ｄ  平面
４  フィードローラ
２２  ディスク検知レバー
【図１】
0004141660.tif 000002
【図２】
0004141660.tif 000003
【図３】
0004141660.tif 000004
【図４】
0004141660.tif 000005
【図５】
0004141660.tif 000006
【図６】
0004141660.tif 000007
【図７】
0004141660.tif 000008